(57)【要約】【課題】複数箇所に設置されたデジタルサイネージ間の連携を行うことにより、利用者の利便性を高め、目的地までの経路案内をシームレスに行う。【解決手段】経路案内サイネージシステム１０において、経路案内デジタルサイネージ１１は、経路検索実行部３４を有する。この経路検索実行部３４は、検索情報およびコンテンツ情報に基づいて、経路検索を実行する。経路検索実行部３４は、前回の経路検索の実行の際に生成された検索ＩＤが入力されると、検索履歴データ格納部２１に格納される検索履歴データを検索して検索ＩＤに紐付けられる検索情報を取得し、取得した検索情報を用いて経路検索を実行する。【選択図】図１
2018116445.tif 000002
【特許請求の範囲】
【請求項１】
経路検索の情報である検索情報および前記検索情報に関わるコンテンツ情報に基づいて、経路検索を実行して目的地への経路案内情報を提供する複数の経路案内デジタルサイネージと、
前記経路案内デジタルサイネージに通信回線を通じて接続され、前記経路案内デジタルサイネージから入力された前記検索情報に基づいてコンテンツ情報を取得して、取得した前記コンテンツ情報を前記経路案内デジタルサイネージに送信するコンテンツサーバと、
を有し、
前記経路案内デジタルサイネージは、前記検索情報および前記コンテンツ情報に基づいて、経路検索を実行する経路検索実行部を有し、
前記経路検索実行部は、外部から検索ＩＤが入力された際に、前記検索ＩＤに紐付けられる検索情報を前記コンテンツサーバから取得して、取得した前記検索情報を用いて経路検索を実行する、経路案内システム。
【請求項２】
請求項１記載の経路案内システムにおいて、
前記経路案内デジタルサイネージは、前記経路検索実行部が経路検索を実行する毎に検索ＩＤを生成する検索ＩＤ生成部を有し、
前記コンテンツサーバは、
前記経路案内デジタルサイネージから前記検索ＩＤ生成部が生成した前記検索ＩＤと前記検索情報とを取得して、取得した前記検索ＩＤと前記検索情報とを紐付けた検索履歴データを生成する検索履歴データ収集部と、
前記検索履歴データ収集部が生成した前記検索履歴データを格納する検索履歴データ格納部と、
を有し、
前記経路検索実行部は、前記検索ＩＤが入力された際に、前記検索履歴データ格納部に格納される前記検索履歴データを検索して前記検索ＩＤに紐付けられる検索情報を取得する、経路案内システム。
【請求項３】
請求項２記載の経路案内システムにおいて、
前記経路案内デジタルサイネージは、携帯端末と通信を行い、前記検索ＩＤ生成部が生成する前記検索ＩＤを前記携帯端末に送信する通信部を有し、
前記経路検索実行部は、前記通信部によって前記携帯端末から前記検索ＩＤを受け取る、経路案内システム。
【請求項４】
請求項３記載の経路案内システムにおいて、
前記検索ＩＤ生成部は、前記通信部によって前記携帯端末に生成した前記検索ＩＤを送信する、経路案内システム。
【請求項５】
携帯端末から入力された検索情報およびコンテンツ情報に基づいて、経路検索を実行して経路案内情報を提供する複数の経路案内デジタルサイネージであって、
前記経路案内デジタルサイネージは、
前記検索情報および前記コンテンツ情報に基づいて、経路検索を実行する経路検索実行部と、
経路検索を実行する毎に検索ＩＤを生成する検索ＩＤ生成部と、
を有し、
前記経路検索実行部は、前回の経路検索の実行の際に生成された前記検索ＩＤが入力されると、通信回線を通じて接続されるコンテンツサーバから前記検索ＩＤに紐付けられる検索情報を取得し、取得した前記検索情報を用いて経路検索を実行する、経路案内デジタルサイネージ。
【請求項６】
請求項５記載の経路案内デジタルサイネージにおいて、
前記経路案内デジタルサイネージは、前記携帯端末と通信を行い、前記検索ＩＤ生成部が生成する前記検索ＩＤを前記携帯端末に送受信する通信部を有し、
前記経路検索実行部は、前記通信部によって前記携帯端末から前記検索ＩＤを受け取る、経路案内デジタルサイネージ。
【請求項７】
請求項６記載の経路案内デジタルサイネージにおいて、
前記検索ＩＤ生成部は、前記通信部によって前記携帯端末に生成した前記検索ＩＤを送信する、経路案内デジタルサイネージ。
【発明の詳細な説明】
【技術分野】
【０００１】
本発明は、経路案内システムおよび経路案内デジタルサイネージに関し、特に、携帯端末の連携による目的地誘導に有効な技術に関する。
【背景技術】
【０００２】
近年、公共交通機関や商業施設など様々な場所においてデジタルサイネージが普及しており、その形態も多数の利用者を想定した一方的な情報表示のみから、インタラクティブ性を備えることにより、利用者が必要とする情報を選択して提供することが可能となっている。
【０００３】
インタラクティブ性を備えたデジタルサイネージの例としては、例えば経路案内システムを備えたデジタルサイネージが挙げられる。このデジタルサイネージによれば、携帯端末を持っていない場合や、通信手段を持っていない利用者であっても検索情報を取得することができる。また、デジタルサイネージと携帯端末とを連携し、検索情報を携帯端末に保持するシステムも提案されている。
【０００４】
なお、この種の経路案内システムとしては、地下と地上の経路を１つの画面でわかりやすく案内するもの（例えば特許文献１参照）やユーザーの欲する情報をサイネージ端末に表示でき、その情報を容易に利用でき、表示の効果を把握できるもの（例えば特許文献２参照）などが知られている。
【先行技術文献】
【特許文献】
【０００５】
【特許文献１】特開２０１０−２１７９４０号公報
【特許文献２】特開２０１３−２３８９５９号公報
【発明の概要】
【発明が解決しようとする課題】
【０００６】
しかしながら、上述した技術では、以下のような問題点がある。
【０００７】
上述した経路案内型のデジタルサイネージは、今後複数の場所に導入される可能性があるが、それぞれのデジタルサイネージ間での連携は行っていない。そのため、利用者が目的地の経路途中に設置された別のデジタルサイネージにおいて、再度経路検索を行う場合には、目的地情報を再度入力する必要がある。これにより、入力の手間が多くかかってしまうことになる。
【０００８】
また、経路案内型のデジタルサイネージは、既に公共交通機関や観光案内所、ホテルなどに、それぞれの設置場所に合わせた特徴を持ちながら導入されている。しかしながら、これらは、同一規格のデジタルサイネージではないため、利用者にとってそれぞれの端末に応じた操作手順に従う必要があり、必ずしも標準化されているとは言えず、操作性が悪いという問題がある。これらにより、利用者の利便性が損なわれてしまう恐れがある。
【０００９】
本発明の目的は、複数箇所に設置されたデジタルサイネージ間の連携を行うことにより、利用者の利便性を高め、目的地までの経路案内をシームレスに行うことのできる技術を提供することにある。
【００１０】
本発明の前記ならびにその他の目的と新規な特徴については、本明細書の記述および添付図面から明らかになるであろう。
【課題を解決するための手段】
【００１１】
本願において開示される発明のうち、代表的なものの概要を簡単に説明すれば、次のとおりである。
【００１２】
すなわち、代表的な経路案内システムは、経路案内デジタルサイネージおよびコンテンツサーバを有する。経路案内デジタルサイネージは、経路検索の情報である検索情報および該検索情報に関わるコンテンツ情報に基づいて、経路検索を実行して目的地への経路案内情報を提供する。
【００１３】
コンテンツサーバは、経路案内デジタルサイネージに通信回線を通じて接続され、経路案内デジタルサイネージから入力された検索情報に基づいてコンテンツ情報を取得して、取得したコンテンツ情報を経路案内デジタルサイネージに送信する。
【００１４】
経路案内デジタルサイネージは、検索情報およびコンテンツ情報に基づいて、経路検索を実行する経路検索実行部を有する。この経路検索実行部は、外部から検索ＩＤが入力された際に、該検索ＩＤに紐付けられる検索情報をコンテンツサーバから取得して、取得した検索情報を用いて経路検索を実行する。
【００１５】
特に、経路案内デジタルサイネージは、経路検索実行部が経路検索を実行する毎に検索ＩＤを生成する検索ＩＤ生成部を有する。コンテンツサーバは、検索履歴データ収集部および検索履歴データ格納部を有する。
【００１６】
検索履歴データ収集部は、経路案内デジタルサイネージから検索ＩＤ生成部が生成した検索ＩＤと検索情報とを取得して、取得した検索ＩＤと検索情報と紐付けた検索履歴データを生成する。検索履歴データ格納部は、検索履歴データ収集部が生成した検索履歴データを格納する。
【００１７】
そして、経路検索実行部は、検索ＩＤが入力された際に、検索履歴データ格納部に格納される検索履歴データを検索して検索ＩＤに紐付けられる検索情報を取得する。
【発明の効果】
【００１８】
本願において開示される発明のうち、代表的なものによって得られる効果を簡単に説明すれば以下のとおりである。
【００１９】
（１）経路案内システムにける操作性を向上させることができる。
【００２０】
（２）上記（１）により、利用者の利便性を向上させることができる。
【図面の簡単な説明】
【００２１】
【図１】一実施の形態による経路案内サイネージシステムにおける構成の一例を示す説明図である。
【図２】図１の経路案内デジタルサイネージが有する検索結果表示部に表示される目的地入力画面の一例を示す説明図である。
【図３】図１の経路案内デジタルサイネージが有する検索結果表示部に表示される目的地確認画面の一例を示した説明図である。
【図４】図１の経路案内デジタルサイネージが有する検索結果表示部に表示される検索結果表示画面の一例を示す説明図である。
【図５】図１の携帯端末に転送される経路検索結果の表示の一例を示す説明図である。
【図６】図１のコンテンツサーバが有する検索履歴データ格納部に格納される検索履歴データの一例を示す説明図である。
【図７】図１の経路案内サイネージシステムにおける経路検索案内処理の一例を示すフローチャートである。
【発明を実施するための形態】
【００２２】
実施の形態を説明するための全図において、同一の部材には原則として同一の符号を付し、その繰り返しの説明は省略する。
【００２３】
以下、実施の形態を詳細に説明する。
【００２４】
〈経路案内サイネージシステムの構成例〉
図１は、一実施の形態による経路案内サイネージシステム１０における構成の一例を示す説明図である。
【００２５】
経路案内システムである経路案内サイネージシステム１０は、目的地への経路案内を行うシステムである。
【００２６】
東京や大阪などの大都市では、鉄道やバス路線が網の目のように設置されており、これらを利用して目的地近傍まで行き、そこから徒歩で目的地に行くことが頻繁に行われている。
【００２７】
その際、複数の運行会社が存在するため、利用者が初めての土地で不慣れな場合には、乗り換えが困難となるケースが多い。この経路案内サイネージシステム１０は、経路案内デジタルサイネージ１１を駅、バス停、観光案内所、あるいはホテルなどにそれぞれ設置する。なお、図１では、簡単化のため、２つの経路案内デジタルサイネージ１１を示したが、実際には、多数の経路案内デジタルサイネージ１１が上述したように駅、バス停、観光案内所、あるいはホテルなど任意の場所に設置されている構成からなる。
【００２８】
そして、それらの設置場所から目的地までの経路案内を提供するほか、設置場所周辺の各種情報や、設置場所からの第一ノード（駅改札やバス停）までの初動案内を提供するものである。
【００２９】
経路案内サイネージシステム１０は、図１に示すように、上述した複数の経路案内デジタルサイネージ１１、およびコンテンツサーバ１７を有する。コンテンツサーバ１７は、インターネットなどのネットワーク１６を通じて、鉄道運行情報提供元サーバ２３や道路交通情報提供元サーバ２４、および地図データ提供元サーバ２５に接続されている。
【００３０】
鉄道運行情報提供元サーバ２３は、鉄道運行情報が格納されている。鉄道運行情報は、例えば鉄道各社の路線情報や遅延情報などの運行情報などからなる。道路交通情報提供元サーバ２４は、バス運行情報が格納されている。バス運行情報は、路線バスなどの路線情報および該路線バスなどの運行状況などの情報からなる。地図データ提供元サーバ２５は、地図情報が格納されている。
【００３１】
また、コンテンツサーバ１７は、インターネットなどのネットワーク１６を通じて、経路案内デジタルサイネージ１１が接続されている。経路案内デジタルサイネージ１１は、例えば公共交通機関や観光案内所、あるいはホテルなどに設置されるものである。
【００３２】
コンテンツサーバ１７は、コンテンツ取得部１８、コンテンツ加工部１９、検索履歴データ収集部２０、および検索履歴データ格納部２１を有する。
【００３３】
コンテンツ取得部１８は、ネットワーク１６通じて鉄道運行情報提供元サーバ２３、道路交通情報提供元サーバ２４、あるいは地図データ提供元サーバ２５にアクセスして、各種のコンテンツ情報を取得する。
【００３４】
コンテンツ加工部１９は、コンテンツ取得部１８が取得した各種情報を経路案内デジタルサイネージ１１にて利用できる形式の情報に加工する。検索履歴データ収集部２０は、各々の経路案内デジタルサイネージ１１による検索情報などを検索履歴データとして収集する。検索履歴データ格納部２１は、検索履歴データ収集部２０が収集した検索履歴データを格納する。
【００３５】
経路案内デジタルサイネージ１１は、コンテンツ取得部３０、検索結果受信部３１、検索条件入力部３２、目的地検索部３３、経路検索実行部３４、検索結果表示部３５、検索結果転送部３６、経路検索データ格納部３７、経路検索エンジン３８、および設置場所周辺データ格納部３９を有する。
【００３６】
様々な場所にそれぞれ設置される経路案内デジタルサイネージ１１においては、各々の経路案内デジタルサイネージ１１の設置位置を現在地とする。検索条件入力部３２は、検索条件、すなわち出発地や目的地などの検索情報が入力される。この検索情報は、利用者によって入力される。
【００３７】
目的地検索部３３は、検索条件入力部３２から入力された目的地までの経路案内情報を提供する。コンテンツ取得部３０は、目的地検索部３３が目的地までの経路案内情報を提供する際に、コンテンツサーバ１７から各種情報を取得する。
【００３８】
経路検索実行部３４は、コンテンツサーバ１７が取得した各種情報を加味した上で、経路検索データ格納部３７および経路検索エンジン３８を使用して検索を行い、検索結果をモニタである検索結果表示部３５において表示する。
【００３９】
なお、検索条件入力部３２および検索結果表示部３５は、例えば表示と情報入力とを兼ね備えたタッチパネル表示部などから構成されている。
【００４０】
また、経路検索実行部３４は、設置場所周辺データ格納部３９に格納されている設置場所周辺データに基づいて、設置場所からの次ノード、例えば駅改札やバス停までの初動案内を提供する。設置場所周辺データは、経路案内デジタルサイネージ１１が設置されている場所を起点とした周辺における各種施設や駅、あるいはバス停などの様々な周辺情報からなる。
【００４１】
図１において、左側に示す経路案内デジタルサイネージ１１は、例えば該経路案内デジタルサイネージ１１が設置されている現在地であるＡ地点に設置されているものとする。また、右側に示す経路案内デジタルサイネージ１１は、例えば設置されている現在位置であるＢ地点に設置されているものとする。
【００４２】
よって、図１の場合には、左側に示す経路案内デジタルサイネージ１１が有する設置場所周辺データ格納部３９にＡ地点を起点にした周辺情報であるＡ地点周辺データが格納されており、右側に示す経路案内デジタルサイネージ１１が有する設置場所周辺データ格納部３９には、Ｂ地点を起点にした周辺情報であるＢ地点周辺データが格納されている。
【００４３】
検索結果転送部３６は、経路検索実行部３４による検索結果を携帯端末１３に転送する。これにより、利用者が所有する携帯端末１３に検索結果を保持することができる。携帯端末１３は、例えばスマートフォンやタブレットなどである。
【００４４】
検索結果受信部３１は、携帯端末１３と通信する通信機能を有し、該携帯端末１３から後述する検索ＩＤなどを受信したり検索結果を送信したりする。
【００４５】
利用者は、目的地までの移動経路途中に設置された他の経路案内デジタルサイネージ１１において、周辺情報の取得および設置場所からの次ノードである駅改札やバス停までの初動案内情報を取得するために、再度経路検索を実行するケースがある。
【００４６】
その際、利用者が有する携帯端末１３から検索結果受信部３１に検索ＩＤを送信することによって、利用者が目的地を再入力することなく、現在地であるＢ地点から目的地までの経路案内および設置場所から駅改札やバス停などの次ノードとなるまでの初動案内情報を取得することができる。
【００４７】
また、各経路案内デジタルサイネージ１１の経路検索実行部３４において実行された検索履歴データは、コンテンツサーバ１７の検索履歴データ収集部２０によって収集され、検索履歴データ格納部２１に検索履歴データとして保持される。
【００４８】
〈目的地入力画面の表示例〉
図２は、図１の経路案内デジタルサイネージ１１が有する検索結果表示部３５に表示される目的地入力画面の一例を示す説明図である。
【００４９】
目的地入力画面は、図２に示すように、検索結果表示部３５の下方に領域２０２が表示されており、該領域２０２の上方に領域２０１が表示されている。領域２０２は、目的地を自由入力する領域である。
【００５０】
領域２０１は、目的地候補を表示する領域である。経路検索実行部３４は、領域２０２に入力された文字列に基づいて、経路案内デジタルサイネージ１１の経路検索データ格納部３７に格納されている駅やバス停などの経路検索データ、またはネットワーク１６経由にて地図データ提供元サーバ２５から提供される地図データ（目的地情報）などを検索した目的地候補を領域２０１に表示する。
【００５１】
〈目的地確認画面の表示例〉
図３は、図１の経路案内デジタルサイネージ１１が有する検索結果表示部３５に表示される目的地確認画面の一例を示した説明図である。
【００５２】
目的地確認画面は、図３に示すように、検索結果表示部３５の下方にボタン３０２が表示されており、該ボタン３０２の上方に目的地周辺地図表示領域３０１が表示されている。
【００５３】
目的地周辺地図表示領域は、目的地およびその周辺における地図を表示する領域である。ボタン３０２は、ソフトウェアキーなどであり、該ボタン３０２をタッチすることにより、経路検索処理が実行される。
【００５４】
図２に示した目的地入力画面において選択した目的地候補に紐付いた位置情報に基づいて、目的地検索部３３がネットワーク１６経由にて提供される地図データ提供元サーバ２５の地図データを検索して目的地周辺地図を目的地周辺地図表示領域３０１に表示する。
【００５５】
目的地周辺地図表示領域３０１に表示される地図上の目的地には、例えばピンなどの目印が表示されている。これにより、目的地を分かりやすく表示することができる。
【００５６】
また、利用者が表示されたピンを移動させることによって、目的地を修正あるいは微調整することも可能とする。利用者は、目的地確認画面において目的地を確認した後、ボタン３０２を押下することで、経路検索実行部３４による現在地から目的地までの経路検索処理が行われる。
【００５７】
〈検索結果表示画面の表示例〉
図４は、図１の経路案内デジタルサイネージ１１が有する検索結果表示部３５に表示される検索結果表示画面の一例を示す説明図である。
【００５８】
検索結果表示部３５に表示される検索結果表示画面は、図４に示すように、検索結果表示領域４０１が表示されており、該検索結果表示領域４０１の下方には、ボタン４０２が表示されている。
【００５９】
検索結果表示領域４０１は、検索結果を表示する表示領域であり、現在地から駅改札やバス停などの次ノードまでの徒歩経路領域、駅またはバス停から駅またはバス停までの公共交通機関経路領域、目的地最寄りの駅またはバス停から目的地までの徒歩経路領域の３つの領域に分けて経路案内が表示される。
【００６０】
ボタン４０２は、ソフトウェアキーなどであり、該ボタン４０２をタッチすることにより、検索結果が利用者の保持する携帯端末１３に送信される。
【００６１】
〈経路検索結果の表示例〉
図５は、図１の携帯端末１３に転送される経路検索結果の表示の一例を示す説明図である。
【００６２】
この図５は、携帯端末１３が有するディスプレイに表示される経路検索結果の表示例を示したものである、なお、この経路検索結果は、例えばテキスト形式にて携帯端末１３に格納される。
【００６３】
経路検索結果は、図５に示すように、上方に検索条件領域５０１が表示される。この検索条件領域５０１の下方には、経路概要領域５０２が表示される。経路概要領域５０２の下方には、経路詳細領域５０３が表示されており、該経路詳細領域５０３の下方には、検索ＩＤ表示領域５０４が表示される。
【００６４】
検索条件領域５０１は、検索情報が表示される領域であり、例えば出発地、目的地、および検索日時などを表示する。経路概要領域５０２は、案内経路の概要を表示する領域であり、例えば経路の所要時間、乗り換え回数、距離、合計金額、運賃、特急料金などを表示する。
【００６５】
経路詳細領域５０３は、案内経路の詳細を表示する領域であり、例えば出発地から目的地までの経路などを表示する。検索ＩＤ表示領域５０４は、検索ＩＤを表示する領域である。検索ＩＤは、図１のコンテンツサーバ１７の検索履歴データ格納部２１にて保持する検索情報に紐付けられたユニークなＩＤである。
【００６６】
検索情報は、経路検索の際に入力される情報であり、後述する図６に示すように、出発地６０２、目的地６０３、出発地緯度６０４、出発地経度６０５、目的地緯度６０６、目的地経度６０７、および前回検索ＩＤ６０８などからなる。
【００６７】
検索情報および検索ＩＤは、コンテンツサーバ１７の検索履歴データ収集部２０によって取得され、検索履歴データとして検索履歴データ格納部２１に格納される。検索ＩＤは、例えば経路検索実行部３４によって生成される。
【００６８】
〈検索履歴データの構成例〉
図６は、図１のコンテンツサーバ１７が有する検索履歴データ格納部２１に格納される検索履歴データの一例を示す説明図である。
【００６９】
検索履歴データは、図６に示すように、検索ＩＤ６０１、出発地６０２、目的地６０３、出発地緯度６０４、出発地経度６０５、目的地緯度６０６、目的地経度６０７、および前回検索ＩＤ６０８を有する構成からなる。
【００７０】
検索ＩＤ６０１は、経路検索の実行毎に生成されるユニークなＩＤである。出発地６０２は、出発地の名称である。目的地６０３は、目的地の名称である。出発地緯度６０４および出発地経度６０５は、出発地における緯度と経度である。
【００７１】
目的地緯度６０６および目的地経度６０７は、目的地における緯度と経度である。前回検索ＩＤ６０８は、前回の検索ＩＤである。この前回検索ＩＤ６０８は、前回の経路検索を利用した経路検索を行った際に格納される。
【００７２】
＜経路案内サイネージシステムの動作例＞
続いて、経路案内サイネージシステム１０の動作について説明する。
【００７３】
図７は、図１の経路案内サイネージシステム１０における経路検索案内処理の一例を示すフローチャートである。なお、図７では、初回の経路検索をＡ地点に設置されている経路案内デジタルサイネージ１１、すなわち図１の左側の経路案内デジタルサイネージ１１によって行った後、利用者がＢ地点に設置されている経路案内デジタルサイネージ１１、すなわち図１の右側の経路案内デジタルサイネージ１１にて再度同じ目的地を経路検索する際の例を示している。
【００７４】
まず、利用開始時においては、利用者に経路案内デジタルサイネージ１１にて前回の経路検索結果を送信させるかどうかを選択させる（ステップＳ１０１）。この選択メニューは、上述した検索条件入力部３２および検索結果表示部３５から構成されるタッチパネル表示部に表示される。利用者は、タッチパネル表示部に表示される選択メニューをタッチすることにより、前回の経路検索結果を送信させるか否かを決定する。
【００７５】
利用者が前回の経路検索結果を送信させないことを選択した場合、タッチパネル表示部に表示される図２の目的地入力画面において、利用者が目的地を入力する。利用者が前回の経路検索結果を送信させない場合とは、例えば初めて経路案内デジタルサイネージ１１を利用する場合、あるいは目的地を変えて利用する場合などである。
【００７６】
ここでは、利用者は、ステップＳ１０１の処理において、利用者が前回の経路検索結果を送信させることを選択する。その場合、検索結果受信部３１は、利用者の携帯端末１３と通信を行い、該携帯端末１３に格納されている検索ＩＤを取得する（ステップＳ１０３）。
【００７７】
コンテンツ取得部３０は、携帯端末１３から取得した検索ＩＤに紐付けられている検索履歴である検索履歴データを検索履歴データ格納部２１から検索して取得する（ステップＳ１０４）。
【００７８】
続いて、コンテンツ取得部３０は、ステップＳ１０４の処理にて検索履歴データを取得できたか否かを判定する（ステップＳ１０５）。取得できなかった場合には、利用者に目的地などの検索情報を入力させ、目的地候補から目的地を選択させる（ステップＳ１０２）。
【００７９】
ステップＳ１０５の処理において、検索履歴データを取得できた場合には、ステップＳ１０４の処理により取得した検索履歴データ、あるいはステップＳ１０２の処理によって入力された目的地に基づいて、目的地候補をタッチパネル表示部に、地図を使用して表示し（ステップＳ１０６）、利用者に目的地が正しいか否かを確認させる（ステップＳ１０７）。
【００８０】
このステップＳ１０６の処理において、タッチパネル表示部に表示される地図は、図３に示した目的地およびその周辺における地図である。目的地検索部３３は、ステップＳ１０４の処理の検索履歴データ、あるいはステップＳ１０２の処理の目的地に基づいて、ネットワーク１６を経由して地図データ提供元サーバ２５から地図データを検索して目的地およびその周辺の地図を取得する。
【００８１】
ステップＳ１０７の処理において、目的地が正しい場合、すなわち図３のボタン３０２がタッチされた場合、経路検索実行部３４は、経路案内デジタルサイネージ１１の設置場所、すなわち現在地から目的地までの経路検索を実行して（ステップＳ１０９）、経路検索の結果をタッチパネル表示部に表示する（ステップＳ１１０）。
【００８２】
このように、利用者が検索する目的地が前回と同じ場合には、前回の検索履歴データを取得して経路検索が実行されるので、利用者が新たに検索情報などを入力する手間を省くことができるとともに、検索結果の表示までの時間を短縮することができる。
【００８３】
ステップＳ１０９の処理においては、ステップＳ１０４の処理にて取得した検索履歴データ、あるいは新たに入力された目的地とコンテンツサーバ１７が取得した鉄道運行情報提供元サーバ２３、道路交通情報提供元サーバ２４、および地図データ提供元サーバ２５の各種情報とに基づいて、経路検索データ格納部３７に格納される経路検索データ、および経路検索エンジン３８を使用して経路検索実行部３４が経路検索を行う。
【００８４】
また、ステップＳ１０９の処理において、経路検索実行部３４は、新たな検索ＩＤを生成してネットワーク１６を通じてコンテンツサーバ１７に送信する。コンテンツサーバ１７は、受け取った検索ＩＤを検索情報に紐付けて検索履歴データとして検索履歴データ格納部２１に格納する。ここでは、検索ＩＤを経路検索実行部３４が生成する例を示しているが、該検索ＩＤは、例えばコンテンツサーバ１７あるいは携帯端末１３が生成するようにしてもよい。
【００８５】
また、ステップＳ１０７の処理において、目的地が間違っている場合には、利用者により目的地の修正が行われた後（ステップＳ１０８）、再度ステップＳ１０６の処理にて目的地候補を表示する。目的地の修正は、例えば図３にて説明したように、利用者が表示されたピンを移動させることによって、目的地を修正あるいは微調整する。
【００８６】
そして、タッチパネル表示部に表示される経路検索結果を利用者の携帯端末１３に転送するか否かを選択させる（ステップＳ１１１）。転送することを選択した場合、検索結果転送部３６は、経路検索結果を携帯端末１３に転送する（ステップＳ１１２）。
【００８７】
これにより、携帯端末１３には、図５に示す経路検索データが転送され、表示される。      
【００８８】
このとき、検索結果転送部３６は、ステップＳ１０９の処理にて経路検索実行部３４が生成した新たな検索ＩＤを携帯端末１３に送信する。
【００８９】
また、ステップＳ１１１の処理において、経路検索結果を転送しない場合には、経路検索案内処理を終了する。以上により、経路検索案内処理が終了となる。
【００９０】
以上により、検索情報などを再入力することなく、設置場所が異なる経路案内デジタルサイネージ１１において経路検索を行うことができるので、目的地までの経路案内をシームレスに提供することができる。
【００９１】
また、検索情報などの再入力が不要となるので、利用者の利便性を向上させることができる。
【００９２】
以上、本発明者によってなされた発明を実施の形態に基づき具体的に説明したが、本発明は前記実施の形態に限定されるものではなく、その要旨を逸脱しない範囲で種々変更可能であることはいうまでもない。
【符号の説明】
【００９３】
１０  経路案内サイネージシステム
１１  経路案内デジタルサイネージ
１３  携帯端末
１６  ネットワーク
１７  コンテンツサーバ
１８  コンテンツ取得部
１９  コンテンツ加工部
２０  検索履歴データ収集部
２１  検索履歴データ格納部
２３  鉄道運行情報提供元サーバ
２４  道路交通情報提供元サーバ
２５  地図データ提供元サーバ
３０  コンテンツ取得部
３１  検索結果受信部
３２  検索条件入力部
３３  目的地検索部
３４  経路検索実行部
３５  検索結果表示部
３６  検索結果転送部
３７  経路検索データ格納部
３８  経路検索エンジン
３９  設置場所周辺データ格納部
【図１】
2018116445.tif 000003
【図２】
2018116445.tif 000004
【図３】
2018116445.tif 000005
【図４】
2018116445.tif 000006
【図５】
2018116445.tif 000007
【図６】
2018116445.tif 000008
【図７】
2018116445.tif 000009